(57)【要約】      （修正有）【課題】バックフォーカスを確保し、高い結像性能を有する広角レンズと、これを有する撮像装置と、広角レンズの製造方法を提供する。【解決手段】物体側から順に、負の屈折力を有する第１レンズ群Ｇ１と、正の屈折力を有する第２レンズ群Ｇ２とを有し、前記第１レンズ群は、物体側から順に、正レンズ成分Ｌ１１と、負レンズ成分Ｌ１２、とを少なくとも有し、前記第２レンズ群は、物体側から順に、第１正レンズ成分Ｌ２２と、負レンズ成分Ｌ２３と、第２正レンズ成分Ｌ２４と、第３正レンズ成分Ｌ２５とを少なくとも有し、０．４０＜ｆ０／Σｄ＜１．６０、１．３０＜ＢＦ／ｆ０＜２．５０の条件を満足する広角レンズ。【選択図】図１
2010176016.tif 000002
【特許請求の範囲】
【請求項１】
物体側から順に、負の屈折力を有する第１レンズ群と、正の屈折力を有する第２レンズ群とを有し、
前記第１レンズ群は、物体側から順に、正レンズ成分と、負レンズ成分とを少なくとも有し、
前記第２レンズ群は、物体側から順に、第１正レンズ成分と、負レンズ成分と、第２正レンズ成分と、第３正レンズ成分とを少なくとも有し、
以下の条件を満足することを特徴とする広角レンズ。
０．４０  ＜  ｆ０  ／  Σｄ  ＜  １．６０    
１．３０  ＜  ＢＦ  ／  ｆ０  ＜  ２．５０
ただし、
Σｄ ：前記広角レンズの最も物体側のレンズ面から最も像側のレンズ面までの光軸上の距離
ｆ０ ：無限遠合焦時における前記広角レンズの焦点距離
ＢＦ ：前記広角レンズの最も像側のレンズ面の頂点から近軸像面までの距離
【請求項２】
以下の条件を満足することを特徴とする請求項１に記載の広角レンズ。
０．１０  ＜  （−ｆ１）／ｆ０  ＜  ２．００
ただし、
ｆ１：前記第１レンズ群の焦点距離
ｆ０：無限遠合焦時における前記広角レンズの焦点距離
【請求項３】
以下の条件を満足することを特徴とする請求項１または２に記載の広角レンズ。
０．８０  ＜  ｆ２Ｒ／ｆ０  ＜  １０．００
ただし、
ｆ２Ｒ：前記第２レンズ群のうち、前記負レンズ成分と前記第２正レンズ成分と前記第３正レンズ成分との合成焦点距離
ｆ０  ：無限遠合焦時における前記広角レンズの焦点距離
【請求項４】
前記第２レンズ群の前記負レンズ成分は負レンズを有し、以下の条件を満足することを特徴とする請求項１から３のいずれか一項に記載の広角レンズ。
｜ＲＮＲ｜−｜ＲＮＦ｜＞０  （単位：ｍｍ）
ただし、
ＲＮＦ：前記第２レンズ群の負レンズ成分の負レンズの物体側のレンズ面の曲率半径
ＲＮＲ：前記第２レンズ群の負レンズ成分の負レンズの像側のレンズ面の曲率半径
【請求項５】
前記第２レンズ群の最も像側のレンズよりも物体側に開口絞りを有することを特徴とする請求項１から４のいずれか一項に記載の広角レンズ。
【請求項６】
前記第１レンズ群は少なくとも１面の非球面を含むことを特徴とする請求項１から５のいずれか一項に記載の広角レンズ。
【請求項７】
請求項１から６のいずれか一項に記載の広角レンズを備えたことを特徴とする撮像装置。
【請求項８】
物体側から順に、負の屈折力を有する第１レンズ群と、正の屈折力を有する第２レンズ群とを有する広角レンズの製造方法であって、
前記第１レンズ群に、物体側から順に、正レンズ成分と、負レンズ成分とを配置し、
前記第２レンズ群に、物体側から順に、第１正レンズ成分と、負レンズ成分と、第２正レンズ成分と、第３正レンズ成分とを配置し、
前記広角レンズが以下の条件を満足するようにしたことを特徴とする広角レンズの製造方法。
０．４０  ＜  ｆ０  ／  Σｄ  ＜  １．６０    
１．３０  ＜  ＢＦ  ／  ｆ０  ＜  ２．５０
ただし、
Σｄ ：前記広角レンズの最も物体側のレンズ面から最も像側のレンズ面までの光軸上の距離
ｆ０ ：無限遠合焦時における前記広角レンズの焦点距離
ＢＦ ：前記広角レンズの最も像側のレンズ面の頂点から近軸像面までの距離
【発明の詳細な説明】
【技術分野】
【０００１】
本発明は、撮影光学系に最適な広角レンズ、撮像装置、および広角レンズの製造方法に関する。
【背景技術】
【０００２】
従来、カメラに使用される薄型広角レンズが提案されている（例えば、特許文献１）。
【先行技術文献】
【特許文献】
【０００３】
【特許文献１】特開平３−２８８１０９号公報
【発明の概要】
【発明が解決しようとする課題】
【０００４】
しかしながら、従来の薄型広角レンズは、さらにバックフォーカスを確保しようとすると、高い結像性能を維持することが難しいと言う課題がある。
【課題を解決するための手段】
【０００５】
上記課題を解決するため、本発明は、物体側から順に、負の屈折力を有する第１レンズ群と、正の屈折力を有する第２レンズ群とを有し、前記第１レンズ群は、物体側から順に、正レンズ成分と、負レンズ成分とを少なくとも有し、前記第２レンズ群は、物体側から順に、第１正レンズ成分と、負レンズ成分と、第２正レンズ成分と、第３正レンズ成分とを少なくとも有し、以下の条件を満足することを特徴とする広角レンズを提供する。
０．４０  ＜  ｆ０  ／  Σｄ  ＜  １．６０    
１．３０  ＜  ＢＦ  ／  ｆ０  ＜  ２．５０
【０００６】
ただし、Σｄは前記広角レンズの最も物体側のレンズ面から最も像側のレンズ面までの光軸上の距離、ｆ０は無限遠合焦時における前記広角レンズの焦点距離、ＢＦは前記広角レンズの最も像側のレンズ面の頂点から近軸像面までの距離である。
【０００７】
また、本発明は、前記広角レンズを備えたことを特徴とする撮像装置を提供する。
【０００８】
また、本発明は、物体側から順に、負の屈折力を有する第１レンズ群と、正の屈折力を有する第２レンズ群とを有する広角レンズの製造方法であって、前記第１レンズ群に、物体側から順に、正レンズ成分と、負レンズ成分とを配置し、前記第２レンズ群に、物体側から順に、第１正レンズ成分と、負レンズ成分と、第２正レンズ成分と、第３正レンズ成分とを配置し、前記広角レンズが以下の条件を満足するようにしたことを特徴とする広角レンズの製造方法を提供する。
０．４０  ＜  ｆ０  ／  Σｄ  ＜  １．６０    
１．３０  ＜  ＢＦ  ／  ｆ０  ＜  ２．５０
【０００９】
ただし、Σｄは前記広角レンズの最も物体側のレンズ面から最も像側のレンズ面までの光軸上の距離、ｆ０は無限遠合焦時における前記広角レンズの焦点距離、ＢＦは前記広角レンズの最も像側のレンズ面の頂点から近軸像面までの距離である。
【発明の効果】
【００１０】
本発明によれば、バックフォーカスを確保し、高い結像性能を有する広角レンズと、これを有する撮像装置と、広角レンズの製造方法を提供することができる。
【図面の簡単な説明】
【００１１】
【図１】第１実施例に係る広角レンズの無限遠合焦状態におけるレンズ構成を示す断面図である。
【図２】第１実施例に係る広角レンズの無限遠合焦状態における諸収差図である。
【図３】第２実施例に係る広角レンズの無限遠合焦状態におけるレンズ構成を示す断面図である。
【図４】第２実施例に係る広角レンズの無限遠合焦状態における諸収差図である。
【図５】第３実施例に係る広角レンズの無限遠合焦状態におけるレンズ構成を示す断面図である。
【図６】第３実施例に係る広角レンズの無限遠合焦状態における諸収差図である。
【図７】第１実施例に係る広角レンズを備えた撮像装置（カメラ）の構成を示す図である。
【図８】実施の形態に係る広角レンズの製造工程を示す図である。
【発明を実施するための形態】
【００１２】
以下、本発明の実施形態に係る広角レンズについて説明する。なお、以下の実施形態は、発明の理解を容易にするためのものに過ぎず、本発明の技術的思想を逸脱しない範囲において当業者により実施可能な付加・置換等を施すことを排除することは意図していない。
【００１３】
本実施形態に係る広角レンズは、物体側から順に、負の屈折力を有する第１レンズ群と、正の屈折力を有する第２レンズ群とを有し、前記第１レンズ群は、物体側から順に、正レンズ成分と、負レンズ成分とを少なくとも有し、前記第２レンズ群は、物体側から順に、第１正レンズ成分と、負レンズ成分と、第２正レンズ成分と、第３正レンズ成分とを少なくとも有し、以下の条件式（１）、（２）を満足することを特徴とする。
（１）  ０．４０  ＜  ｆ０  ／  Σｄ  ＜  １．６０    
（２）  １．３０  ＜  ＢＦ  ／  ｆ０  ＜  ２．５０
【００１４】
ただし、Σｄは前記広角レンズの最も物体側のレンズ面から最も像側のレンズ面までの光軸上の距離（以後、全レンズ厚と記す）、ｆ０は無限遠合焦時における前記広角レンズの焦点距離、ＢＦは前記広角レンズの最も像側のレンズ面の頂点から近軸像面までの距離（所謂バックフォーカス）である。
【００１５】
本広角レンズでは、第１レンズ群は、物体側から順に、正レンズ成分と負レンズ成分とを少なくとも有することで、軸外収差、特に像面湾曲、非点収差、歪曲収差の補正を良好に行うことができる。
【００１６】
また、本広角レンズでは、第２レンズ群は、物体側から順に、第１正レンズ成分、負レンズ成分、第２正レンズ成分、第３正レンズ成分の４成分を有することにより、第２レンズ群が薄肉化しても良好な球面収差を達成すると共にペッツバール和の最適化を図ることができる。また、この構成は、コマ収差の良好な補正と所定量のバックフォーカスを確保することが可能となる。なお、レンズ成分とは、単レンズあるいは接合レンズからなるレンズを示す。
【００１７】
上記の構成により、本広角レンズは、明るさを維持したまま、大画角化と同時に極端な薄肉化を行うことを可能にし、所謂薄型広角レンズを達成している。広角レンズの全レンズ厚を薄肉化すればするほど、軸上と軸外の収差補正を同じレンズ面で同時に行うことになり、また、構成レンズ枚数も薄肉化のために制限されるため、複雑な構成がとれない。したがって、特に軸外収差の補正が困難になり、大きなコマ収差の残存した光学系になりがちである。本広角レンズは、各レンズ群の最適なレンズ構成と屈折力配置により良好な収差特性を達成したところに特徴がある。
【００１８】
条件式（１）は、広角レンズの焦点距離を全レンズ厚で規格化した条件式である。条件式（１）を満足することにより、高い結像性能を有する広角レンズを達成することができる。
【００１９】
条件式（１）の上限値を上回る場合、全レンズ厚が著しく薄くなる。この場合、全レンズ厚を薄肉化すればするほど、軸上と軸外の収差補正を同じレンズ面で同時に行うことになり、また、構成レンズ枚数も薄肉化のために制限されるので複雑な構成がとれない。したがって、軸外収差の補正が困難になる。特に、像面湾曲、非点収差、コマ収差の補正が困難になる。
【００２０】
なお、条件式（１）の上限値を１．５０にすることにより諸収差の補正を良好に行うことができる。また、条件式（１）の上限値を１．２０にすることにより諸収差の補正をより良好に行うことができる。また、条件式（１）の上限値を１．００にすることにより諸収差の補正をさらに良好に行うことができる。また、条件式（１）の上限値を０．８８にすることにより諸収差の補正をさらにより良く行うことができ、本発明の効果を最大限に発揮することができる。
【００２１】
条件式（１）の下限値を下回る場合、広角レンズの焦点距離が著しく短くなり、広角レンズとして超広角の領域に至る。この結果、本広角レンズのように薄肉化した場合には、軸外収差、特に像面湾曲、非点収差、コマ収差、歪曲収差の補正が困難になる。
【００２２】
なお、条件式（１）の下限値を０．５０にすることにより収差の補正を良好に行うことができる。また、条件式（１）の下限値を０．５５にすることにより諸収差の補正をより良好に行うことができる。また、条件式（１）の下限値を０．６０にすることにより諸収差の補正をさらに良好に行うことができ、本発明の効果を最大限に発揮することができる。
【００２３】
また、条件式（２）は、広角レンズのバックフォーカスを広角レンズの焦点距離で規定した条件である。これは広角レンズを一眼レフカメラに用いる場合、重要な尺度になる。条件式（２）を満足することにより、バックフォーカスを確保し、高い結像性能を有する広角レンズを達成することができる。
【００２４】
条件式（２）の上限値を上回る場合、バックフォーカスが広角レンズの焦点距離に比較して長いことを意味する。この場合、レトロフォーカスの構成で、第１レンズ群の屈折力が著しく強くなり、結果的に像面湾曲、非点収差、コマ収差が悪化する。
【００２５】
なお、条件式（２）の上限値を２．３０にすることにより諸収差の補正を良好に行うことができる。また、条件式（２）の上限値を２．００にすることにより諸収差の補正をより良好に行うことができる。また、条件式（２）の上限値を１．８０にすることにより諸収差の補正をさらに良好に行うことができ、本発明の効果を最大限に発揮することができる。
【００２６】
条件式（２）の下限値を下回る場合、十分なバックフォーカスが得られなくなる。その場合、広角レンズは一眼レフカメラに使用することが困難になる。また射出瞳が像面に近づくため、広角レンズはデジタルカメラに使用することが不利となる。したがって、条件式（２）の下限値を下回る場合、射出瞳を像面から遠ざける必要があり、像面から遠ざけようとすると、軸外収差、特にコマ収差の補正を良好に行えなくなる。
【００２７】
なお、条件式（２）の下限値を１．４５にすることにより諸収差の補正を良好に行うことができる。また、条件式（２）の下限値を１．５０にすることにより諸収差の補正をより良好に行うことができる。また条件式（２）の下限値を１．５２にすることにより諸収差の補正をさらに良好に行うことができ、本発明の効果を最大限に発揮することができる。
【００２８】
また、本広角レンズは、以下の条件式（３）を満足することが望ましい。
（３）    ０．１０  ＜  （−ｆ１）／ｆ０  ＜  ２．００
【００２９】
ただし、ｆ１は第１レンズ群の焦点距離、ｆ０は無限遠合焦時の広角レンズの焦点距離を示す。
【００３０】
条件式（３）は、第１レンズ群の焦点距離を広角レンズの焦点距離で規定した条件式である。第１レンズ群の屈折力の大小は、広角レンズのサイズや軸外収差の補正を良好に行えるか等に影響がある。条件式（３）を満足することにより、高い結像性能を有する広角レンズを達成することができる。
【００３１】
条件式（３）の上限値を上回る場合、第１レンズ群の焦点距離の絶対値が大きくなり、すなわち、負の屈折力が弱くなることを意味する。負の屈折力が弱まることにより、第１レンズ群が大径化して広角レンズ径が大型化したり、バックフォーカスが短くなるため、条件式（１）および（２）を満たさなくなる。また、収差補正上では、負の屈折力を有する第１レンズ群と正の屈折力を有する第２レンズ群との屈折力バランスが崩れるため、歪曲収差の補正を良好に行えなくなる。
【００３２】
なお、条件式（３）の上限値を１．６０にすることにより本発明の効果を確実にすることができる。また、条件式（３）の上限値を１．４０にすることにより本発明の効果をより確実にすることができる。また、条件式（３）の上限値を１．１０にすることにより本発明の効果をさらに確実にすることができる。また、条件式（３）の上限値を１．００にすることにより本発明の効果を最大限に発揮することができる。
【００３３】
条件式（３）の下限値を下回る場合、第１レンズ群の焦点距離の絶対値が小さくなることを意味し、すなわち、第１レンズ群の負の屈折力が著しく強くなることを意味する。その場合、バックフォーカスが著しく長くなり広角レンズの小型化が困難になり、ひいては条件式（１）および（２）を満足できなくなる。収差補正上では、著しい負の屈折力は軸外収差を増大するため、特に像面湾曲、非点収差、コマ収差が悪化する。
【００３４】
なお、条件式（３）の下限値を０．２０にすることにより諸収差の補正を良好に行うことができる。また、条件式（３）の下限値を０．４０にすることにより諸収差の補正をより良好に行うことができる。また、条件式（３）の下限値を０．５０にすることにより諸収差の補正をさらに良好に行うことができ、本発明の効果を最大限に発揮することができる。
【００３５】
また、本広角レンズは、以下の条件式（４）を満足することが望ましい。
（４）    ０．８０  ＜  ｆ２Ｒ／ｆ０  ＜  １０．００
【００３６】
ただし、ｆ２Ｒは第２レンズ群のうちの、負レンズ成分と第２正レンズ成分と第３正レンズ成分との合成焦点距離、ｆ０は無限遠合焦時の広角レンズの焦点距離を示す。
【００３７】
条件式（４）は、第２レンズ群のうちの、負レンズ成分と第２正レンズ成分と第３正レンズ成分とからなる後群（以後、第２レンズ群の後群と記す）の合成焦点距離の最適な値を規定する条件である。正の屈折力を有する第２レンズ群の後群の屈折力を最適化することは、球面収差、コマ収差の補正を良好に行うために必要である。条件式（４）を満足することにより、高い結像性能を有する広角レンズを達成することができる。
【００３８】
条件式（４）の上限を上回る場合、第２レンズ群の後群の合成焦点距離が長くなり、屈折力が弱くなることを意味し、球面収差を良好に補正することが困難になる。また、コマ収差も悪化する。また、第２レンズ群の後群が大型化し、ひいては広角レンズが大型化する。
【００３９】
なお、条件式（４）の上限値を９．００にすることにより諸収差の補正を良好に行うことができる。また、条件式（４）の上限値を８．５０にすることにより諸収差の補正をより良好に行うことができる。また、条件式（４）の上限値を８．００にすることにより諸収差の補正をさらに良好に行うことができ、本発明の効果を最大限に発揮することができる。
【００４０】
条件式（４）の下限値を下回る場合、第２レンズ群の後群の合成焦点距離が短くなり、すなわち正の屈折力が強くなることを意味し、球面収差を良好に補正することが困難になる。またコマ収差も悪化する。また、所定量のバックフォーカスが得られなくなる。
【００４１】
なお、条件式（４）の下限値を１．００にすることにより諸収差の補正を良好に行うことができる。また、条件式（４）の下限値を１．３０にすることにより諸収差の補正をより良好に行うことができる。また、条件式（４）の下限値を１．４０にすることにより諸収差の補正をさらに良好に行うことができ、本発明の効果を最大限に発揮することができる。
【００４２】
また、本広角レンズでは、第２レンズ群の負レンズ成分は負レンズを有し、以下の条件式（５）を満足することが望ましい。
（５）  ｜ＲＮＲ｜−｜ＲＮＦ｜＞０      （単位：ｍｍ）
【００４３】
ただし、ＲＮＦは第２レンズ群の負レンズ成分の負レンズの物体側レンズ面の曲率半径を、ＲＮＲは第２レンズ群の負レンズ成分の負レンズの像側レンズ面の曲率半径を示す。
【００４４】
条件式（５）は、第２レンズ群の負レンズ成分が有する負レンズのレンズ面形状に関する条件式である。本広角レンズは、条件式（５）を満足することにより、球面収差、コマ収差を良好に保ちつつ、最適なバックフォーカスを得ることができる。条件式（５）を満足しない場合、バックフォーカスが短くなり一眼レフカメラ用交換レンズとして使用できなくなる。無理にバックフォーカスを確保すれば、収差補正上、特に上方コマ収差が悪化する。
【００４５】
また、本広角レンズでは、開口絞りは第２レンズ群の最も像側のレンズよりも物体側に配置することが望ましい。なお、開口絞りは広角レンズのＦナンバーを決定する。本広角レンズは、開口絞りを第２レンズ群の最も像側のレンズよりも物体側に配置することで像面湾曲、歪曲収差、倍率色収差の補正を良好に行うことができる。
【００４６】
また、本広角レンズでは、第１レンズ群は、少なくとも１面の非球面を有することが望ましい。このような構成により、少ないレンズ枚数で広角レンズを構成することができるため小型化を達成することができる。また、この構成により軸外収差、特に像面湾曲、コマ収差、歪曲収差の補正を良好に行うことができる。
【００４７】
以下、本実施形態に係る広角レンズの各数値実施例について添付図面に基づいて説明する。
【００４８】
（第１実施例）
図１は、第１実施例に係る広角レンズのレンズ構成を示す断面図である。
【００４９】
第１実施例に係る広角レンズは、物体側から順に、負の屈折力を有する第１レンズ群Ｇ１と、正の屈折力を有する第２レンズ群Ｇ２から構成されている。
【００５０】
第１レンズ群Ｇ１は、物体側から順に、物体側に凸面を向けた正メニスカスレンズＬ１１と、物体側に凸面を向けた負メニスカスレンズＬ１２と、物体側に凸面を向けた負メニスカスレンズＬ１３から構成されている。
【００５１】
第２レンズ群Ｇ２は、物体側から順に、両凸形状の正レンズＬ２１と、両凸形状の正レンズＬ２２と、Ｆナンバーを決定する開口絞りＳと、両凹形状の負レンズＬ２３と、像側に凸面を向けた正メニスカスレンズＬ２４と、両凸形状の正レンズＬ２５から構成されている。
【００５２】
以下の表１に第１実施例に係る広角レンズの諸元値を示す。
【００５３】
表中の（面データ）において、面番号は物体側から数えたレンズ面の番号、ｒはレンズ面の曲率半径、ｄはレンズ面の面間隔、ｎｄはｄ線（波長λ＝５８７．６ｎｍ）に対する屈折率、νｄはｄ線（波長λ＝５８７．６ｎｍ）に対するアッベ数をそれぞれ示している。また、物面は物体面、（絞り）は開口絞りＳ、像面は像面Ｉをそれぞれ示している。なお、曲率半径ｒ欄の「∞」は平面を示している。また、レンズ面が非球面である場合には面番号に＊印を付して曲率半径の欄には近軸曲率半径を示している。
【００５４】
（非球面データ）には、（面データ）に示した非球面について、その形状を次式で表した場合の非球面係数を示す。
Ｘ（ｙ）＝（ｙ２／ｒ）／[１＋[１−κ（ｙ２／ｒ２）]１／２] 
＋Ａ４×ｙ４＋Ａ６×ｙ６＋Ａ８×ｙ８＋Ａ１０×ｙ１０
＋Ａ１２×ｙ１２＋Ａ１４×ｙ１４＋Ａ１６×ｙ１６
【００５５】
ここで、光軸に垂直な方向の高さをｙ、高さｙにおける光軸方向の変位量（サグ量）をＸ（ｙ）、基準球面の曲率半径（近軸曲率半径）をｒ、円錐係数をκ、ｎ次の非球面係数をＡｎとする。なお、「E-n」は「×10-n」を示し、例えば「1.234E-05」は「1.234×10-5」を示す。
【００５６】
（各種データ）において、ｆは焦点距離、ＦＮＯはＦナンバー、ωは半画角（単位：°）、Ｙは像高、ＴＬはレンズ系の全長、Σｄは広角レンズの最も物体側のレンズ面から最も像側のレンズ面までの光軸上の距離、ＢＦはバックフォーカスをそれぞれ表している。
【００５７】
（条件式対応値）は、各条件式の対応値をそれぞれ示す。
【００５８】
なお、以下の全ての諸元値において、掲載されている焦点距離ｆ、曲率半径ｒ、面間隔ｄその他の長さ等は、特記の無い場合一般に「ｍｍ」が使われるが、光学系は比例拡大または比例縮小しても同等の光学性能が得られるので、これらに限られるものではない。また、単位は「ｍｍ」に限定されること無く他の適当な単位を用いることもできる。さらに、これらの記号は、以降の他の実施例においても同様とし説明を省略する。
【００５９】
（表１）第１実施例
（面データ）
面番号          r         d         nd       νd 
物面          ∞        ∞
1)         33.8751   2.8000   1.603000   65.47 
2)         74.9380   0.1000   1.000000
3)         20.0930   1.0000   1.755000   52.29 
4)          8.3114   3.8000   1.000000
5)         42.9059   1.0000   1.497820   82.56 
6)         14.2223   4.0000   1.000000
7)         19.1522   3.0000   1.717360   29.52
8)      -1286.6968   1.0000   1.000000
9)         43.0642   5.0000   1.497820   82.56
10)        -15.7069   0.5000   1.000000
11> （絞り）  ∞      1.5000   1.000000
12)        -13.6078   1.0000   1.903660   31.27
13)         41.2595   0.9000   1.000000
14)        -25.4888   2.0000   1.593190   67.87 
15)        -11.7946   0.1000   1.000000
16)        485.1036   3.2000   1.603000   65.47 
17)        -14.7873  37.9983   1.000000
像面          ∞        
（各種データ）
ｆ＝ 24.400
FNO＝  3.596 
ω＝ 42.44°
Y＝ 21.6
TL＝ 68.898
Σd＝ 30.900
BF＝ 37.998
（レンズ群データ）
群        始面        焦点距離
G１          1         -15.318
G２          7          18.373
（条件式対応値）
（１）：ｆ０／Σｄ            ＝  ０．７９０
（２）：ＢＦ／ｆ０            ＝  １．５６
（３）：（−ｆ１）／ｆ０      ＝  ０．６２８
（４）：ｆ２Ｒ／ｆ０          ＝  １．６３
（５）：｜ＲＮＲ｜−｜ＲＮＦ｜＝２７．６６
【００６０】
図２は、第１実施例に係る広角レンズの無限遠合焦時の諸収差を示す。
【００６１】
各収差図において、ＦＮＯはＦナンバー、Ｙは像高、ωは半画角（単位：度）、ｄはｄ線（波長λ＝５８７．６ｎｍ）、およびｇはｇ線（波長λ＝４３５．８ｎｍ）をそれぞれ示す。また非点収差において、実線はサジタル像面、点線はメリジオナル像面を示す。コマ収差における実線はメリジオナルコマ収差を示す。なお、以下に示す他の実施例の収差図においても、本実施例と同様の符号を用い以後の説明を省略する。
【００６２】
各諸収差図より、第１実施例に係る広角レンズは、諸収差が良好に補正され優れた結像性能を有していることがわかる。
【００６３】
（第２実施例）
図３は、第２実施例に係る広角レンズのレンズ構成を示す断面図である。
【００６４】
第２実施例に係る広角レンズは、物体側から順に、負の屈折力を有する第１レンズ群Ｇ１と、正の屈折力を有する第２レンズ群Ｇ２から構成されている。
【００６５】
第１レンズ群Ｇ１は、物体側から順に、物体側に凸面を向けた正メニスカスレンズＬ１１と、物体側に凸面を向け像側のレンズ面に非球面を設けた負メニスカスレンズＬ１２から構成されている。
【００６６】
第２レンズ群Ｇ２は、物体側から順に、両凸形状の正レンズＬ２１と、像側に凸面を向けた正メニスカスレンズＬ２２と、Ｆナンバーを決定する開口絞りＳと、両凹形状の負レンズＬ２３と、両凸形状の正レンズＬ２４と、像側に凸面を向けた正メニスカスレンズＬ２５から構成されている。
【００６７】
以下の表２に第２実施例に係る広角レンズの諸元値を示す。
（表２）第２実施例
（面データ）
面番号         r         d        nd        νd 
物面          ∞        ∞
1)           33.8751   2.8000   1.603000   65.47 
2)           74.9380   0.1000   1.000000
3)           20.0930   1.0000   1.603000   65.47
4)*           6.5597   6.0000   1.000000
5)           25.5540   3.0000   1.717360   29.52
6)         -300.6963   1.0000   1.000000
7)          -34.2497   5.0000   1.497820   82.56 
8)          -17.6995   0.5000   1.000000
9>(絞り)       ∞      1.5000   1.000000
10)          -20.5645   1.0000   1.903660   31.27 
11)           41.5823   0.5000   1.000000
12)          109.9269   3.0000   1.593190   67.87 
13)          -11.8678   0.1000   1.000000
14)          -47.8393   2.3000   1.603000   65.47 
15)          -17.1597  37.9989   1.000000
像面          ∞        
（非球面データ）
第4面
κ＝  0.8318
A4＝  4.76210E-05   
A6＝ -3.01810E-06
A8＝  9.91860E-08
A10＝ -1.21060E-09
A12＝  0.00
A14＝  0.00
A16＝  0.00
（各種データ）
ｆ＝ 24.401
FNO＝  3.6
ω＝ 42.31°
Y＝ 21.6
TL＝ 65.799
Σd＝ 27.800
BF＝ 37.999
（レンズ群データ）
群        始面        焦点距離
G１          1         -20.971
G２          5          19.797
（条件式対応値）
（１）：ｆ０／Σｄ            ＝  ０．８７８
（２）：ＢＦ／ｆ０            ＝  １．５６
（３）：（−ｆ１）／ｆ０      ＝  ０．８５９
（４）：ｆ２Ｒ／ｆ０          ＝  ７．４０
（５）：｜ＲＮＲ｜−｜ＲＮＦ｜＝２１．０２
【００６８】
図４は、第２実施例に係る広角レンズの無限遠合焦時の諸収差を示す。各諸収差図より、第２実施例に係る広角レンズは、諸収差が良好に補正され優れた結像性能を有することがわかる。
【００６９】
（第３実施例）
図５は、第３実施例に係る広角レンズのレンズ構成を示す断面図である。
【００７０】
第３実施例に係る広角レンズは、物体側から順に、負の屈折力を有する第１レンズ群Ｇ１と、正の屈折力を有する第２レンズ群Ｇ２から構成されている。
【００７１】
第１レンズ群Ｇ１は、物体側から順に、物体側に凸面を向け像側のレンズ面に非球面を設けた正メニスカスレンズＬ１１と、物体側に凸面を向けた負メニスカスレンズＬ１２と、物体側に凸面を向けた負メニスカスレンズＬ１３から構成されている。
【００７２】
第２レンズ群Ｇ２は、物体側から順に、物体側に凸面を向けた正メニスカスレンズＬ２１と、像側に凸面を向けた正メニスカスレンズＬ２２と、Ｆナンバーを決定する開口絞りＳと、両凹形状の負レンズＬ２３と、像側に凸面を向けた正メニスカスレンズＬ２４と、像側に凸面を向けた正メニスカスレンズＬ２５から構成されている。
【００７３】
以下の表３に第３実施例に係る広角レンズの諸元値を示す。
（表３）第３実施例
（面データ）
面番号         r         d        nd        νd 
物面          ∞        ∞
1)           33.8751   2.8000   1.603000   65.47
2)*          74.9380   0.1000   1.000000
3)           20.0930   1.0000   1.603000   65.47
4)            7.9328   3.3000   1.000000
5)           16.9134   1.0000   1.497820   82.56
6)            9.2383   2.0000   1.000000
7)           17.1817   3.0000   1.717360   29.52
8)           53.0942   1.0000   1.000000
9)         -920.7724   5.0000   1.497820   82.56
10)          -17.9112   0.5000   1.000000
11>(絞り)       ∞      1.5000   1.000000
12)          -15.1601   1.0000   1.903660   31.27
13)          102.1453   0.6000   1.000000
14)          -42.6459   2.2000   1.593190   67.87
15)          -11.8420   0.1000   1.000000
16)          -95.0161   3.0000   1.603000   65.47
17)          -12.9317  37.9970   1.000000
像面          ∞        
（非球面データ）
第２面
κ＝  1.00
A4＝ -8.43520E-06 
A6＝  3.92740E-08
A8＝ -1.78160E-10
A10＝  4.80600E-13
A12＝  0.00
A14＝  0.00
A16＝  0.00
（各種データ）
ｆ＝ 24.401
FNO＝  3.64
ω＝ 42.32°
Y＝ 21.6
TL＝ 66.097
Σd＝ 28.100
BF＝ 37.997
（レンズ群データ）
群        始面        焦点距離
G１          1         -17.111
G２          7          18.270
（条件式対応値）
（１）：ｆ０／Σｄ            ＝  ０．８６８ 
（２）：ＢＦ／ｆ０            ＝  １．５６
（３）：（−ｆ１）／ｆ０      ＝  ０．７０１
（４）：ｆ２Ｒ／ｆ０          ＝  １．５４
（５）：｜ＲＮＲ｜−｜ＲＮＦ｜＝８６．９９
【００７４】
図６は、第３実施例に係る広角レンズの無限遠合焦時の諸収差を示す。各諸収差図より、第３実施例に係る広角レンズは、諸収差が良好に補正され優れた結像性能を有することがわかる。
【００７５】
以上の各実施例によれば、包括角２ω＝８４°を越え、さらにＦ２．８からＦ３．６程度の口径を有し、小型で薄型、高性能で球面収差、像面湾曲、非点収差、コマ収差が良好に補正された広角レンズが実現できる。
【００７６】
なお、以下の内容は、本願の広角レンズの光学性能を損なわない範囲で適宜採用することが可能である。
【００７７】
本願の広角レンズの数値実施例として２群構成のものを示したが、本願はこれに限られず、その他の群構成（例えば、３群等）の広角レンズを構成することもできる。具体的には、本願の広角レンズの最も物体側や最も像面側にレンズ又はレンズ群を追加した構成でも構わない。なお、レンズ群とは、空気間隔で分離された、少なくとも１枚のレンズを有する部分を示す。
【００７８】
また、本願の広角レンズは、無限遠物体から近距離物体への合焦を行うために、レンズ群の一部、１つのレンズ群全体、又は複数のレンズ群を合焦レンズ群として光軸方向へ移動させる構成としてもよい。特に、全体、または第２レンズ群の少なくとも一部又は全体の中の少なくとも２つの部分をそれぞれを合焦レンズ群とすることが好ましい。また、斯かる合焦レンズ群は、オートフォーカスに適用することも可能であり、オートフォーカス用のモータ、例えば超音波モータ等による駆動にも適している。
【００７９】
また、本願の広角レンズにおいて、いずれかのレンズ群全体又はその一部を、防振レンズ群として光軸に垂直な成分を含むように移動させ、又は光軸を含む面内方向へ回転移動（揺動）させることで、手ブレによって生じる像ブレを補正する構成とすることもできる。特に、本願の広角レンズでは第２レンズ群の少なくとも一部を防振レンズ群とすることが好ましい。
【００８０】
また、本願の広角レンズを構成するレンズのレンズ面は、球面又は平面としてもよく、或いは非球面としてもよい。レンズ面が球面又は平面の場合、レンズ加工及び組立調整が容易になり、レンズ加工及び組立調整の誤差による光学性能の劣化を防ぐことができるため好ましい。また、像面がずれた場合でも描写性能の劣化が少ないため好ましい。レンズ面が非球面の場合、研削加工による非球面、ガラスを型で非球面形状に成型したガラスモールド非球面、又はガラス表面に設けた樹脂を非球面形状に形成した複合型非球面のいずれでもよい。また、レンズ面は回折面としてもよく、レンズを屈折率分布型レンズ（ＧＲＩＮレンズ）或いはプラスチックレンズとしてもよい。
【００８１】
また、本願の広角レンズにおいて開口絞りは第２レンズ群の内部又は近傍に配置されることが好ましいが、開口絞りとして部材を設けずにレンズ枠でその役割を代用する構成としてもよい。
【００８２】
また、本願の広角レンズを構成するレンズのレンズ面に、広い波長域で高い透過率を有する反射防止膜を施してもよい。これにより、フレアやゴーストを軽減し、高コントラストの高い光学性能を達成することができる。
【００８３】
また、本願の広角レンズでは、第１レンズ群は、正のレンズ成分を１つと、負のレンズ成分を１つ有することが好ましい。また第１レンズ群は、物体側から順に、正負の順に各レンズ成分を空気間隔を介在させて配置することが好ましい。
【００８４】
また、第１レンズ群は、正レンズ成分を１つと、負レンズ成分を２つ有することが好ましい。また第１レンズ群は、物体側から順に、正負負の順に各レンズ成分を空気間隔を介在させて配置することが好ましい。
【００８５】
また、本願の広角レンズでは、第２レンズ群は正のレンズ成分を２つと、負のレンズ成分を１つ有することが好ましい。また第２レンズ群は、物体側から順に、正負正の順に各レンズ成分を空気間隔を介在させて配置することが好ましい。
【００８６】
また、本願の広角レンズでは、第２レンズ群は正のレンズ成分を４つと、負のレンズ成分を１つ有することが好ましい。また第２レンズ群は、物体側から順に、正正負正正の順で各レンズ成分を空気間隔を介在させて配置することが好ましい。
【００８７】
次に、本願の広角レンズを備えた撮像装置について図面を参照しつつ説明する。図７は、第１実施例に係る広角レンズを備えた撮像装置（カメラ）の構成を示す図である。
【００８８】
本カメラ１は、図７に示すように撮影レンズ２として上記第１実施例に係る広角レンズを備えたデジタル一眼レフカメラである。
【００８９】
本カメラ１において、不図示の物体（被写体）からの光は、撮影レンズ２で集光されて、クイックリターンミラー３を介して焦点板４に結像される。そして焦点板４に結像されたこの光は、ペンタプリズム５中で複数回反射されて接眼レンズ６へ導かれる。これにより撮影者は、被写体像を接眼レンズ６を介して正立像として観察することができる。
【００９０】
また、撮影者によって不図示のレリーズボタンが押されると、クイックリターンミラー３が光路外へ退避し、撮影レンズ２で集光された不図示の被写体からの光は撮像素子７上に被写体像を形成する。これにより被写体からの光は、当該撮像素子７により撮像され、被写体画像として不図示のメモリに記録される。このようにして、撮影者は本カメラ１による被写体の撮影を行うことができる。
【００９１】
ここで、本カメラ１に撮影レンズ２として搭載した上記第１実施例に係る広角レンズは、上記第１実施例において説明したように、その特徴的なレンズ構成によって、像面湾曲、非点収差、コマ収差の少ない広角レンズを実現している。これにより本カメラ１は、像面湾曲、非点収差、コマ収差の少ない広角撮影可能な薄型撮像装置を実現することができる。
【００９２】
なお、上記実施例では第１実施例に係る広角レンズを撮影レンズ２として搭載してカメラ１を構成した例を示したが、上記第１実施例以外の実施例に係る広角レンズを搭載しても上記カメラ１と同様の効果を奏することは言うまでもない。
【００９３】
以下、本願の広角レンズの製造方法の概略を図８に基づいて説明する。図８は、本願の広角レンズの製造方法を示す図である。
【００９４】
本願の広角レンズの製造方法は、物体側から順に、負の屈折力を有する第１レンズ群と、正の屈折力を有する第２レンズ群を有する広角レンズの製造方法であって、図８に示す各ステップＳ１〜Ｓ３を含むものである。
【００９５】
ステップＳ１：
ステップＳ１は、第１レンズ群に、物体側から順に、正レンズ成分と、負レンズ成分とを含む光学部材を配置する。
【００９６】
ステップＳ２：
ステップＳ２は、第２レンズ群に、物体側から順に、第１正レンズ成分と、負レンズ成分と、第２正レンズ成分と、第３正レンズ成分とを含む光学部材を配置する。
【００９７】
ステップＳ３：
ステップＳ３は、広角レンズが、以下の条件式（１）、（２）を満足するように第１レンズ群、第２レンズ群を含む光学部材を円筒状の鏡筒内に物体側から順に配置する。
（１）  ０．４０  ＜  ｆ０  ／  Σｄ  ＜  １．６０    
（２）  １．３０  ＜  ＢＦ  ／  ｆ０  ＜  ２．５０
【００９８】
ただし、Σｄは前記広角レンズの最も物体側のレンズ面から最も像側のレンズ面までの光軸上の距離、ｆ０は無限遠合焦時における前記広角レンズの焦点距離、ＢＦは前記広角レンズの最も像側のレンズ面の頂点から近軸像面までの距離である。
【００９９】
斯かる本願の広角レンズの製造方法によれば、広画角と良好な光学性能を備えた広角レンズを製造することができる。
【０１００】
なお、上記各実施例は本発明の一具体例を示しているものであり、本発明はこれらに限定されるものではない。
【符号の説明】
【０１０１】
Ｇ１：  第１レンズ群
Ｇ２：  第２レンズ群
Ｓ：  開口絞り
Ｉ：  像面
１：  カメラ
２：  撮影レンズ
３：  クイックリターンミラー
４：  焦点板
５：  ペンタプリズム
６：  接眼レンズ
７：  撮像素子
【図１】
2010176016.tif 000003
【図２】
2010176016.tif 000004
【図３】
2010176016.tif 000005
【図４】
2010176016.tif 000006
【図５】
2010176016.tif 000007
【図６】
2010176016.tif 000008
【図７】
2010176016.tif 000009
【図８】
2010176016.tif 000010